(57)【要約】【課題】  洗浄剤を使用することなく、手摺りベルトの洗浄及び除菌が可能であり、部材の脱落の心配もない手摺りベルト洗浄除菌方法及び手摺りベルト洗浄除菌装置を提供する。【解決手段】  本発明の手摺りベルト洗浄除菌方法は、エスカレーターや動く歩道といった手摺りベルトを備えた移動体の当該手摺りベルトを洗浄及び除菌する方法であって、アルカリイオン水を手摺りベルトに塗布して、そのアルカリイオン水を拭き取ることによって手摺りベルトを洗浄除菌する方法である。本発明の手摺りベルト洗浄除菌装置は、前記移動体の手摺りベルトを洗浄及び除菌する装置であって、アルカリイオン水をエスカレーターの手摺りベルトに塗布する洗浄部材と、当該洗浄部材で塗布されたアルカリイオン水を拭き取る拭き取り部材を備えたものである。【選択図】図１
2017137158.tif 000002
【特許請求の範囲】
【請求項１】
移動体の手摺りベルトを洗浄除菌する手摺りベルト洗浄除菌方法において、
前記手摺りベルトに、洗浄除菌液としてアルカリイオン水を塗布し、
前記ベルトに塗布されたアルカリイオン水を拭き取る、
ことを特徴とする手摺りベルト洗浄除菌方法。
【請求項２】
請求項１記載の洗浄除菌方法において、
洗浄除菌液として、ｐＨ１０〜１３．２の強アルカリイオン水を用いる、
ことを特徴とする手摺りベルト洗浄除菌方法。
【請求項３】
請求項１又は請求項２記載の手摺りベルト洗浄除菌方法において、
タンク内に貯留されたアルカリイオン水を、連続気泡を備えた洗浄部材で吸い上げ、その吸い上げたアルカリイオン水を当該洗浄部材で手摺りベルトに塗布する、
ことを特徴とする手摺りベルト洗浄除菌方法。
【請求項４】
移動体の手摺りベルトを洗浄除菌する手摺りベルト洗浄除菌装置において、
洗浄除菌液を貯留するタンクと、前記手摺りベルトに洗浄除菌液を塗布する洗浄部材と、手摺りベルトに塗布された洗浄除菌液を拭き取る拭き取り部材を備え、
前記タンクには洗浄除菌液としてアルカリイオン水が貯留され、
前記洗浄部材は連続気泡を備えたものであり、少なくとも手摺りベルトとの接触部分がタンク外に露出するように前記タンク内のアルカリイオン水に浸漬され、
前記拭き取り部材は、前記手摺りベルトに塗布されたアルカリイオン水を拭き取ることができる吸水性を備えたものであり、洗浄部材よりも手摺りベルトの走行方向先方に配置されて、洗浄部材で手摺りベルトに塗布された洗浄除菌液を拭き取り可能である、
ことを特徴とする手摺りベルト洗浄除菌装置。
【請求項５】
請求項４記載の手摺りベルト洗浄除菌装置において、
タンクに、洗浄除菌液としてｐＨ１０〜１３．２の強アルカリイオン水が貯留された、
ことを特徴とする手摺りベルト洗浄除菌装置。
【請求項６】
請求項４又は請求項５記載の手摺りベルト洗浄除菌装置において、
タンクの下方にベースが設けられ、
前記タンクは弾性体を介して前記ベースに支持され、当該弾性体の作用によって上下方向に移動可能である、
ことを特徴とする手摺りベルト洗浄除菌装置。
【請求項７】
請求項６記載の手摺りベルト洗浄除菌装置において、
タンクをベースに固定するための固定手段が設けられ、
前記固定手段は、前記タンク内の洗浄部材が手摺りベルトに接触しない位置まで下げた状態で、前記タンクをベースに固定することができる、
ことを特徴とする手摺りベルト洗浄除菌装置。
【請求項８】
請求項６又は請求項７記載の手摺りベルト洗浄除菌装置において、
ベースに、ベースが設置面から離れたときにその旨を報知する警報手段が設けられた、
ことを特徴とする手摺りベルト洗浄除菌装置。
【発明の詳細な説明】
【技術分野】
【０００１】
本発明は、エスカレーターや動く歩道といった手摺りベルトを備えた移動体の当該手摺りベルトの洗浄及び除菌を行う手摺りベルト洗浄除菌方法及び手摺りベルト洗浄除菌装置に関する。
【背景技術】
【０００２】
エスカレーターには、手摺りベルトが設けられている。手摺りベルトは、利用者の転落事故を未然に防ぐための安全装置として利用される。エスカレーターの利用者は、手摺りベルトを持つことによって、エスカレーターの緊急停止時や前後の利用者の不測の転倒によって将棋倒し現象が生じたときに、大参事を免れることができる。
【０００３】
エスカレーターの手摺りベルトは、不特定多数の利用者が直接触れるものであるため、一見してわかるほど汚れており、触るとべとついた感触がするものさえある。また、手摺りベルトには、風邪のウイルスやノロウイルスといった感染性のウイルス、その他の病原菌が付着している場合もあり、これらは人の手を介して感染するため、手摺りベルトを持つのを嫌う人や躊躇する人も少なくない。
【０００４】
２０２０年には東京オリンピックの開催が予定されており、海外からの来日者が増加することが予想されることから、日本観光の魅力である清潔に整備された都市環境と安心安全を更に確立することは急務である。
【０００５】
これまで、エスカレーターの手摺りベルトの洗浄は、清掃員が手摺りベルトに濡れ雑巾を宛がい、汚れを拭き取ることによって行っていたが、濡れ雑巾の絞りが緩い場合には手摺りベルトが濡れたままとなり、かえって利用者が触れたくない状態となるうえ、埃やごみが付着しやすい状態で周回することになる。また、混雑時には、清掃員による洗浄自体が困難な場合がある。このような場合、不衛生な状態の手摺りベルトが、洗浄されることなく長時間周回し続けることとなる。
【０００６】
このような現状において、清掃員によらずに手摺りベルトの洗浄を行うことのできる装置（特許文献１）が提案されている。特許文献１に開示された装置は、手摺りベルト表面を洗浄する洗浄ロールと、当該洗浄ロールに回転接触して洗浄剤を塗布する塗布ロールと、当該手摺りベルトに塗布された洗浄剤を拭き取る拭き取りロールを備えたものである。この装置は、別途設けられたタンク内の洗浄剤を、ホースを通して前記塗布ロールに供給し、塗布ロールに供給された洗浄剤を洗浄ロールに供給して前記手摺りベルトの表面を洗浄するものである。
【先行技術文献】
【特許文献】
【０００７】
【特許文献１】特開２００５−３２４９６８号公報
【発明の概要】
【発明が解決しようとする課題】
【０００８】
特許文献１の装置は、装置のほかに洗浄剤用のタンクやホースが必要であるため、装置の小型化が難しく、タンクやホースを含むすべてを、手摺ベルトの巻き込み部の下側の限られたスペースに設置するのは困難である。また、特許文献１の装置は、洗浄ロール、塗布ロール及び拭き取りロールを含む略すべての部材が外部に露出しているため、外力（例えば、手摺りベルトとの摩擦抵抗）が加わってロール等の部品が外れると、部品を紛失する可能性がある。さらに、特許文献１の装置は、洗浄剤を使用するものであるため、洗浄はできても除菌をすることはできない。
【０００９】
本発明の解決課題は、巻き込み部の下側の限られたスペースに余裕をもって設置できるほど小型であり、手摺りベルトの洗浄のみならず除菌も可能であり、構成部品の紛失の心配もない手摺りベルト洗浄除菌方法及び手摺りベルト洗浄除菌装置を提供することにある。
【課題を解決するための手段】
【００１０】
本発明の手摺りベルト洗浄除菌方法は、移動体の手摺りベルトにアルカリイオン水を塗布して、そのアルカリイオン水を拭き取ることによって手摺りベルトを洗浄除菌する方法である。
【００１１】
本発明の手摺りベルト洗浄除菌装置は、アルカリイオン水を移動体の手摺りベルトに塗布する洗浄部材と、当該洗浄部材で塗布されたアルカリイオン水を拭き取る拭き取り部材を備えたものである。
【発明の効果】
【００１２】
本発明の手摺りベルト洗浄除菌装置は、アルカリイオン水を使用するため、手摺りベルトの洗浄のみならず除菌も行うことができる。
【図面の簡単な説明】
【００１３】
【図１】エスカレーターの構造を説明するものであって、（ａ）はエスカレーターの側面概要図、（ｂ）は（ａ）のＸ部拡大図、（ｃ）は（ｂ）のＡ−Ａ矢視図、（ｄ）は手摺りベルトの持ち手部分の断面図。
【図２】本発明の洗浄除菌装置の一例を示すものであって、（ａ）は洗浄除菌装置の断面図、（ｂ）は（ａ）のＢ−Ｂ矢視図。
【図３】（ａ）は図２（ａ）（ｂ）に示す洗浄除菌装置の平面図、（ｂ）は図２（ａ）（ｂ）に示す洗浄除菌装置の洗浄部材を広げた状態の平面図、（ｃ）は図２（ａ）（ｂ）に示す洗浄除菌装置の拭き取り部材の正面図。
【図４】本発明の洗浄除菌装置の他例を示すものであって、（ａ）は洗浄除菌装置の断面図、（ｂ）は（ａ）のＣ−Ｃ矢視図。
【図５】本発明の洗浄除菌装置の他例を示すものであって、（ａ）は洗浄除菌装置の断面図、（ｂ）は（ａ）のＤ−Ｄ矢視図。
【図６】本発明の洗浄除菌装置の他例を示すものであって、（ａ）は洗浄除菌装置の断面図、（ｂ）は（ａ）のＥ−Ｅ矢視図。
【図７】本発明の洗浄除菌装置の他例を示すものであって、（ａ）は洗浄除菌装置の断面図、（ｂ）は（ａ）のＦ−Ｆ矢視図。
【発明を実施するための形態】
【００１４】
（実施形態）
本発明の手摺りベルト洗浄除菌装置（以下「洗浄除菌装置」という）１の一例を、図面を参照して説明する。本願の洗浄除菌装置１の洗浄除菌対象には、図１（ａ）に示すエスカレーターのように勾配がついた移動体の手摺りベルトＢのほか、いわゆる動く歩道のような平坦又は略平坦な形状の移動体の手摺りベルトＢも含まれるが、ここでは、図１（ａ）に示すように、移動体が勾配の付いたエスカレーターの場合を一例として説明する。説明の便宜上、以下では、本発明の洗浄除菌装置の説明に先立ち、エスカレーターの構造について説明する。
【００１５】
［エスカレーターの構造］
図１（ａ）〜（ｄ）に、エスカレーターの構造の概要図を示す。図１（ａ）はエスカレーターの側面図、（ｂ）は（ａ）のＸ部拡大図、（ｃ）は（ｂ）のＡ−Ａ矢視図である。このエスカレーターは一般的なエスカレーターであり、利用者が搭乗する循環式のステップ（図示しない）と、そのステップの回転方向と同方向に進行する循環式の手摺りベルトＢを備えている。手摺りベルトＢはステップの幅方向両側に設けられている。それぞれの手摺りベルトＢの引き込み部分には、手摺りベルトＢ以外のものの巻きこみを防止するための手摺カバーＣが設けられている。本発明の洗浄除菌装置１は、当該手摺りカバーＣの手前のスペース（本願において「設置スペース」という）Ｓに設置して使用するものである。図１（ａ）〜（ｃ）に示す設置スペースＳは、高さ１９０ｍｍ×奥行５００ｍｍ×幅１９０ｍｍ程度であり、奥行のうち、手摺りベルトＢの水平部分の寸法（水平部奥行）は２００ｍｍ程度である。また、それぞれの手摺りベルトＢの持ち手部Ｈの寸法は、図１（ｄ）に示すように、上面８０ｍｍ程度、側面３０ｍｍ程度、折り返し面１０ｍｍ程度である。本発明の洗浄除菌装置１は、前記設置スペースＳに配置して使用するものであり、当該設置スペースＳに設置したときに後述する洗浄部材９及び拭き取り部材１１が手摺りベルトＢに接触して洗浄及び除菌が行われるように構成されている。
【００１６】
［洗浄除菌装置］
一例として図２（ａ）（ｂ）及び図３（ａ）〜（ｃ）に示す洗浄除菌装置１は、ベース２とそのベース２の上方に設けられたタンク３を備えている。ベース２の上面には上向きに立設した内筒部４が、タンク３の下面には下向きに突出した外筒部５が設けられ、内筒部４の外側に外筒部５が被さるようにしてある。ベース２の上面の内筒部４の内側にはベース凹部６が、タンク３の下面の外筒部５の内側にはタンク凹部７が設けられ、それらベース凹部６とタンク凹部７の間に支持バネ８が縦向きに配置されている。この実施形態では支持バネ８としてコイルスプリングを用いているが、これ以外の弾性体を用いることもできる。
【００１７】
前記支持バネ８は、常時伸長方向、すなわち、タンク３がベース２から離れる方向に付勢されており、タンク３に下向きの力が働くと、タンク３の位置が低くなるように構成されている。このように、タンク３を支持バネ８で支持するため、洗浄除菌装置１の設置スペースＳの床Ｆと手摺りベルトＢの高さ寸法（距離）を常に一定に保つことができ、後述する洗浄部材９が手摺りベルトＢから離れることによる洗浄除菌の不良を回避することができる。この実施形態では、ベース２の底面に滑り止め部材１０が設けられているが、滑り止め部材１０は必要に応じて設ければよく、不要な場合には省略することができる。
【００１８】
前記タンク３には、手摺りベルトＢを洗浄又は／及び除菌するための液（本願において「洗浄除菌液」という）Ｗが貯留されている。このタンク３は、５００ｃｃ程度の洗浄除菌液Ｗを貯留することができるものである。本願では、洗浄除菌液Ｗとして、ｐＨ１２．５のアルカリイオン水を用いている。洗浄除菌液Ｗとしてアルカリイオン水を用いる場合、そのアルカリイオン水は、ｐＨ１０〜１３．２程度のもの、具体的にはｐＨ１１〜１３程度のもの、さらに具体的にはｐＨ１２．５のものが好ましい。ｐＨ１１以上、特に、ｐＨ１２．５以上の強アルカリイオン水では、繰り返し使用しても洗浄力や除菌力が劣化することがほとんどなく、連続的に使用することができる。また、アルカリイオン水は人の肌に無刺激であるため、人が触れる手摺りベルトＢの洗浄除菌に適している。また、手摺りベルトＢの素材への影響もない。電気分解によって生成したアルカリイオン水は、中性の水に比べて、洗浄力、除菌力、消臭力に優れており、ノロウイルスやその他の雑菌の不活効果が確認されている。
【００１９】
タンク３内の洗浄除菌液Ｗには、タンク３内の洗浄除菌液Ｗを吸い上げてエスカレーターの手摺りベルトＢに塗布する洗浄部材９が浸漬してある。洗浄部材９は、手摺りベルトＢと接触する部分（以下「塗布部分」という）がタンク３の外側に突出する（露出する）ように、洗浄除菌液Ｗに浸漬してある。一例として図２（ａ）（ｂ）に示す洗浄部材９は、図３（ｂ）に示すような縦長のシート状であり、中央付近に幅方向に横長の開口部９ａが設けられている。この実施形態では、洗浄部材９として連続気泡（連続気孔ということもある）を備えたスポンジを用いている。連続気孔を備えたスポンジとしては、例えば、株式会社伏見製薬所のテクノポーラスブロック（登録商標。以下同じ。）等を用いることができる。前記テクノポーラスブロックは、均一で高い気孔率を特徴とする連続微細気孔のポリウレタンスポンジである。タンク３に浸漬した洗浄部材９には、連続気孔の作用によって洗浄除菌液Ｗが吸収され、タンク３の外に露出した塗布部分にまで洗浄除菌液Ｗが満たされる。前記洗浄部材９は、タンク内の洗浄除菌液Ｗを吸い上げることができるものであればこれ以外のものを用いることもできる。図２（ａ）（ｂ）に示す例では、塗布部分を含むタンク３外へ突出する部分よりもタンク３内に収まる部分の方が多くなるように、洗浄部材９の下側５０〜９０％程度がタンク３内に収まるようにしてある。
【００２０】
前記洗浄部材９は、図２（ａ）のように二つ折りにして、その折り返し部側が上、両端側が下となる向きでタンク３内の洗浄部材セット部１２にセットされ、この状態で、洗浄部材９がタンク３内に貯留された洗浄除菌液Ｗに浸るようにしてある。この洗浄部材９は、連続微細気孔を有するため、洗浄部材９の一部が洗浄除菌液Ｗに浸ることによって、タンク３内の洗浄除菌液Ｗを上側に吸い上げ、洗浄除菌液Ｗが洗浄部材９の全体に浸透する。
【００２１】
図３（ｂ）に示すように、この実施形態の洗浄部材９には開口部９ａが設けられているため、その開口部９ａの中心で洗浄部材９を二つ折りにすると、その開口部９ａによって折り返し部よりも一段低い凹陥部１３が形成され（図２（ｂ））、この凹陥部１３に手摺りベルトＢが収まるようにしてある。凹陥部１３の底部１３ａは手摺りベルトＢの上面Ｂ１（図１（ｄ）では下側の面）に当接する部分であり、凹陥部１３の立ち上がり部１３ｂは手摺りベルトＢの側面Ｂ２（図１（ｄ））に当接する部分である。
【００２２】
一例として図２（ａ）に示す洗浄部材セット部１２は、洗浄部材９の対向した面状の部分（本願において「対向面」という）９ｘ、９ｙを挿通可能なスリットが二本一組で設けられている。この実施形態では、洗浄部材９の一方の対向面９ｘが二本のスリットの一方に、他方の対向面９ｙが他方のスリットに挿し込まれて、それぞれの対向面９ｘ、９ｙがスリットを構成する周壁で保持されるようにしてある。図２（ａ）に示すように、洗浄部材セット部１２はタンク３の上端よりも上側に突出せず、タンク３内に収まるようにしてある。なお、図２（ａ）に示す例では、洗浄部材９の両対向面９ｘ、９ｙの下端がタンク３の底面３ａに接触しない状態を示しているが、両対向面９ｘ、９ｙの下端はタンク３の底面３ａに接触させておくこともできる。両対向面９ｘ、９ｙの下端をタンク３の底面３ａに接触させることによって、洗浄部材９が手摺りベルトＢに接触しても下がらず、洗浄部材９が手摺りベルトＢに接触する状態を維持しやすくなる。
【００２３】
前記洗浄部材９の先方であって、手摺りベルトＢの走行方向先方側には、汚れ分を含んだ洗浄除菌液Ｗを拭き取るための拭き取り部材１１が設けられている。この実施形態では、拭き取り部材１１として、洗浄部材９と同様の連続微細気孔のポリウレタンスポンジを用いている。拭き取り部材１１も洗浄部材９と同様のシート状であり、中央付近に幅方向に横長の開口部１１ａが設けられている。この拭き取り部材１１は開口部を１１ａ備えているため、その開口部１１ａの中心で二つ折りにすると、その開口部１１ａによって折り返し部よりも一段低い凹陥部１４が形成される（図３（ｃ））。この凹陥部１４には手摺りベルトＢが収まるようにしてある。凹陥部１４の底部１４ａは手摺りベルトＢの上面Ｂ１に塗布された洗浄除菌液Ｗを拭き取る部分であり、凹陥部１４の立ち上がり部１４ｂは手摺りベルトＢの側面Ｂ２に塗布された洗浄除菌液Ｗを拭き取る部分である。
【００２４】
拭き取り部材１１は、洗浄部材９と異なり、洗浄除菌液Ｗを吸い上げる作用は必要ないため、汚れ分を含んだ洗浄除菌液Ｗを吸収するだけの吸水性があれば、連続気孔を有しないものであってもよい。拭き取り部材１１は乾燥したものを用いるのが好ましい。拭き取り部材１１は、拭き取りを繰り返すうちに水分を含んだ湿潤状態となるが、手摺りベルトＢの圧接によって拭き取り部材１１が絞られるため、飽和状態になることはほとんどなく、連続的な拭き取りが可能である。なお、拭き取り効果が落ちてきたときは、新たな拭き取り部材１１に取り替えることもできる。
【００２５】
前記拭き取り部材１１は、タンク３の上方に設けられた拭き取り部材セット部１５に設けられている。一例として図２（ａ）に示す拭き取り部材セット部１５は、タンク３内の洗浄除菌液Ｗが触れない位置に設けられた基材１５ａの上面側に、拭き取り部材１１の端部を嵌合可能なセット溝１５ｂが二本一組で三セット（合計六本）設けられている。拭き取り部材１１は、図２（ａ）のように二つ折りにして、その折り返し部側が上、両端側が下となる向きで拭き取り部材セット部１５のセット溝１５ｂに嵌合されている。拭き取り部材セット部１５の基材１５ａには、複数の貫通孔１５ｃが開口され、拭き取り部材１１で拭き取った洗浄除菌液Ｗを、当該貫通孔１５ｃを通過させてタンク３内に戻せるようにしてある。
【００２６】
図２（ｂ）及び図３（ａ）に示すように、この実施形態では、タンク３をベース２側に接近させた位置で固定するための固定手段１６が設けられている。この固定手段１６によって、洗浄除菌装置１を設置スペースＳに設置する時（設置時）にはタンク３を低い位置に固定でき、洗浄時（運転時）にはタンク３を高い位置に固定することができる。この実施形態では、設置時には、滑り止め部材１０の底面から洗浄部材９又は／及び拭き取り部材１１の上端までの寸法が１６０ｍｍ程度となり、運転時には、滑り止め部材１０の底面から洗浄部材９又は／及び拭き取り部材１１の上端までの寸法が１９０ｍｍ程度となるようにしてある。この寸法は一例であり、これ以外の寸法とすることもできるが、いずれの場合も、設置時には洗浄部材９及び拭き取り部材１１が手摺りベルトＢに接触せず、運転時には洗浄部材９及び拭き取り部材１１が手摺りベルトＢに確実に接触する範囲で設定する。
【００２７】
一例として図２（ｂ）及び図３（ａ）に示す固定手段１６は平面視コ字状の部材である。この実施形態では、洗浄除菌装置１の幅方向両側方に一つずつ設けられている。固定手段１６は、その平行又はほぼ平行な二本の挿通部１６ａが、タンク３の外筒部５に開口された外挿通孔５ａ及びベース２の内筒部４に開口された内挿通孔４ａの双方に挿通されている。
【００２８】
それぞれの挿通部１６ａには引き寄せバネ１７としてコイルスプリングが被せられ、その引き寄せバネ１７の作用によって、固定手段１６が常時内向きに引き寄せられるようにしてある。挿通部１６ａの先端寄りの外周にはストッパー１８が設けられ、内向きに引き寄せられる固定手段１６が、必要以上に内側に引き寄せられないようにするとともに、固定手段１６がタンク３の外挿通孔５ａから抜け落ちないようにしてある。具体的には、内挿通孔４ａに嵌合した挿通部１６ａの先端が、その内側に配置された支持バネ８に干渉しないようにしてある。なお、外挿通孔５ａは、上下方向に間隔をあけて二以上設けることができる。この場合、固定手段１６の挿通部１６ａの先端を、二以上の外挿通孔５ａのいずれかに嵌合することで、タンク３を所望の高さに固定することができる（図２（ｂ）参照）。
【００２９】
図２（ｂ）のように、固定手段１６の挿通部１６ａの先端が内挿通孔４ａに嵌合している状態では、タンク３が低い位置に固定され、固定手段１６を外向きに引いて挿通部１６ａの先端が内挿通孔４ａから外れると、タンク３の固定が解除される。固定が解除されたタンク３は、前記支持バネ８によって上昇し、タンク３内の洗浄部材９及び拭き取り部材１１が手摺りベルトＢに当接する。一旦固定を解除したタンク３を再度固定する場合、支持バネ８を押し込む方向（下向き方向）にタンク３を押し下げる。固定手段１６は引き寄せバネ１７によって常時内向きに引き寄せられるようにしてあるため、タンク３が所定位置まで降下して固定手段１６の挿通部１６ａが内挿通孔４ａの位置に到達すると、挿通部１６ａの先端が内挿通孔４ａに自動的に嵌合し、タンク３が低い位置で固定される。
【００３０】
この実施形態では、洗浄除菌装置１が管理者以外の者によって取り外されたり、持ち去られたりするのを防止するための警報手段を設けてある。警報手段１９は、洗浄除菌装置１が所定位置（具体的には設置スペースＳの床Ｆ）から取り外されたことを外部に報知するための手段である。一例として図２（ａ）及び図３（ａ）に示す警報手段１９は、検知棒２０と接点スイッチ２１と電池２２と警報ブザー２３を備えたものである。
【００３１】
前記検知棒２０は、上部に鍔２０ａを備えた棒状部材であり、ベース２の上下に貫通するように配置されている。検知棒２０のうち、ベース２よりも下側に突出した部分の外周には、検知棒２０を下向きに付勢する付勢スプリング２４が被せられている。この付勢スプリング２４は、当該付勢スプリング２４の下方に設けられた支持板２５で支持されている。検知棒２０は、付勢スプリング２４の作用によって常時下向きに付勢され、洗浄除菌装置１を床Ｆに置くと、当該検知棒２０の先端２０ｂが床Ｆに接触して押し上げられ、床Ｆから離すと（洗浄除菌装置１を持ち上げると）押し下げられるようにしてある。
【００３２】
この実施形態では、検知棒２０の鍔２０ａの下側に接点スイッチ２１が設けられ、検知棒２０の先端２０ｂが床Ｆから離れて検知棒２０が下がったときに、検知棒２０の鍔２０ａが接点スイッチ２１に接触するようにしてある。検知棒２０の鍔２０ａが接点スイッチ２１に接触すると（電気接点が接触すると）前記警報ブザー２３が鳴るようにしてある。警報ブザー２３に代えて警報ランプを点灯させる等して、報知するようにしてもよい。警報手段１９は前記電池２２によって動作するようにしてある。
【００３３】
図３（ａ）に示すように、警報手段１９には、当該警報手段１９のＯＮとＯＦＦを切り替えるための切替えスイッチＳＷが設けられている。図３（ａ）の切替えスイッチＳＷは、カギ型のものであり、カギを所持している管理者がそのカギによってＯＮとＯＦＦを切り替えられるものである。カギ型の切替えスイッチＳＷを設ける場合、洗浄除菌装置１を設置スペースＳに設置したときには前記カギで切替えスイッチＳＷをＯＮに切り替え、取り外すときには前記カギで切替えスイッチＳＷをＯＦＦに切り替えることができる。切替えスイッチＳＷはカギ型以外の者であってもよい。
【００３４】
設置作業の正確性と迅速性を高めるため、この実施形態ではベース２と設置スペースＳの双方に目印（図示しない）を設けてあり、ベース２の目印を設置スペースＳの目印に合わせることで、洗浄除菌装置１を所定位置に正確かつ素早く設置できるようにしてある。目印はどのような方法で設けてもよく、直接書き込んだり、シールを貼付したりするだけでもよい。目印はタンク３に設けることも、タンク３とベース２の双方に設けることもできる。目印は二以上設けることもできる。いずれの場合も、設置に際して見やすい位置に設けるのが好ましい。設置スペースＳの目印は、手摺りベルトＢの中心位置を示すものである。設置スペースＳの目印は床Ｆに表示しておくことができる。
【００３５】
（その他の実施形態）
本発明のその他の実施形態について説明する。ここでは、前記実施形態と異なる部分のみを説明し、前記実施形態と同様の部分については同じ符号を付してその説明を省略する。
【００３６】
前記実施形態では、洗浄部材９として、シート状のスポンジを二つに折り曲げたものを用いる場合を一例として説明しているが、洗浄部材９には、図４（ａ）（ｂ）に示すような角形ブロック状のスポンジを用いることもできる。この洗浄部材９も連続微細気孔のポリウレタンスポンジであり、上部には手摺りベルトＢが収まる凹陥部１３が設けられている。図４（ａ）（ｂ）に示す洗浄部材９も、略すべてがタンク３内に収まるようにしてあり、洗浄部材９の下半分程度がタンク３内の洗浄除菌液Ｗ内に浸漬するようにしてある。
【００３７】
図２（ａ）（ｂ）、図３（ａ）（ｂ）及び図４（ａ）（ｂ）に示す洗浄部材９の凹陥部１３は、手摺りベルトＢの上面Ｂ１が当接する底部１３ａと、手摺りベルトＢの側面Ｂ２に当接する立ち上がり部１３ｂを備えたものであるが、図５（ａ）（ｂ）に示すように、手摺りベルトＢの折り返し面Ｂ３（図１（ｄ））に当接する内向き突出部１３ｃを備えたものとすることもできる。このような内向き突出部１３ｃを備えたものとすることで、手摺りベルトＢの上面Ｂ１及び側面Ｂ２のみならず、折り返し面Ｂ３の洗浄除菌も行うことができる。図５（ａ）（ｂ）に示す洗浄部材９も、略すべてがタンク３内に収まるようにしてあり、洗浄部材９の下半分程度がタンク３内の洗浄除菌液Ｗ内に浸漬するようにしてある。
【００３８】
洗浄部材９は、図６（ａ）（ｂ）に示すようなロール状とすることもできる。この洗浄部材９は、タンク３の内壁に係止可能な芯材２６の外周に連続微細気孔のポリウレタンスポンジが周回されたものであり、手摺りベルトＢの回転方向に抗わない方向に回転するようにしてある。具体的には、図６（ａ）（ｂ）の例では、手摺りベルトＢは反時計回りの方向に回転する（図６（ａ）の矢印方向に走行する）ため、洗浄部材９を時計回りの方向に回転させ、手摺りベルトＢと接触する部分が手摺りベルトＢと同方向に走行するようにしてある。図６（ａ）（ｂ）の例では、ロール状の洗浄部材９の略すべてがタンク３内に収まるようにし、洗浄部材９の下半分程度がタンク３内の洗浄除菌液Ｗ内に浸漬するようにしてある。なお、ロール状の洗浄部材９の回転は、接触する手摺りベルトＢの走行方向の力を利用するものであるため、駆動用のモータは不要である。
【００３９】
図６（ａ）（ｂ）に示す洗浄部材９は表面に凹陥部が設けられていないものであり、手摺りベルトＢの上面Ｂ１のみに洗浄除菌液Ｗが塗布されるものであるが、洗浄部材９に図２（ａ）（ｂ）及び図４（ａ）（ｂ）のような底部１３ａと立ち上がり部１３ｂを備えた凹陥部１３を設けることで、手摺りベルトＢの上面Ｂ１及び側面Ｂ２に洗浄除菌液Ｗを塗布することができ、図５（ａ）（ｂ）のような底部１３ａと立ち上がり部１３ｂと内向き突出部１３ｃを備えた凹陥部１３を設けることで、手摺りベルトＢの上面Ｂ１、側面Ｂ２及び折り返し面Ｂ３に洗浄除菌液Ｗを塗布することができる。
【００４０】
前記実施形態では、拭き取り部材１１としてシート状のスポンジを二つに折り曲げたものを用いる場合を一例として説明しているが、拭き取り部材１１には、図４（ａ）に示すような、上部に手摺りベルトＢが収まる凹陥部１４を備えた角形ブロック状のスポンジを用いることもできる。凹陥部１４は、図３（ｃ）のような、手摺りベルトＢの上面Ｂ１の洗浄除菌液Ｗを拭き取る底部１４ａ及び手摺りベルトＢの側面Ｂ２の洗浄除菌液Ｗを拭き取る立ち上がり部１４ｂを備えた構造や、図６（ｂ）のような、底部１４ａと立ち上がり部１４ｂと内向き突出部１４ｃを備えた構造とすることができる。
【００４１】
拭き取り部材１１は、図７（ａ）（ｂ）のようなロール状とすることもできる。この拭き取り部材１１は、タンク３の内壁に係止可能な芯材２７の外周に連続微細気孔のポリウレタンスポンジが周回されたものであり、手摺りベルトＢの回転方向に抗わない方向に回転するようにしてある。具体的には、図７（ａ）（ｂ）の例では、手摺りベルトＢは反時計回りの方向（図７（ａ）の矢印方向）に回転するため、拭き取り部材１１を時計回りの方向に回転させ、手摺りベルトＢと接触する部分が手摺りベルトＢと同方向に走行するようにしてある。図７（ａ）（ｂ）の例では、ロール状の拭き取り部材１１の略すべてがタンク３内に収まるようにしてある。なお、ロール状の拭き取り部材１１の回転は、接触する手摺りベルトＢの走行方向の力を利用するものであるため、駆動用のモータは不要である。
【００４２】
拭き取り部材１１をロール状とする場合、拭き取り部材１１とは別に、当該拭き取り部材１１で拭き取った洗浄除菌液Ｗを絞る絞りローラ２８を設けることもできる。絞りローラ２８には、拭き取り部材１１から洗浄除菌液Ｗを絞り出せる程度の硬度を有するもの、例えば、樹脂製やゴム製、金属製といった各種材質製のローラを用いることができる。絞りローラ２８は、前記ロール状の洗浄部材９やロール状の拭き取り部材１１と同様、タンク３の内壁に係止できるようにすることができる。なお、ロール状の拭き取り部材１１を用いる場合、凹陥部１４を備えたものとすることも、凹陥部１４を備えていないものとすることもできる。前者の場合、底部１４ａと立ち上がり部１４ｂのみを備えたものとすることも、底部１４ａと立ち上がり部１４ｂに加えて、内向き突出部１４ｃを備えたものとすることもできる。前者の場合には、手摺りベルトＢの上面Ｂ１及び側面Ｂ２に洗浄除菌液Ｗを拭き取ることができ、後者の場合には、手摺りベルトＢの上面Ｂ１、側面Ｂ２及び折り返し面Ｂ３に洗浄除菌液Ｗを拭き取ることができる。
【００４３】
洗浄部材９は二以上設けることもできる。具体的には、手摺りベルトＢの走行方向に間隔をあけて二以上設けたり、手摺ベルトＢの走行方向に交差する方向に二以上設けたりすることができる。後者の場合、一つの洗浄部材９の幅を手摺りベルトＢの横幅よりも狭くして、横並びに設けたり、手摺りベルトＢの横幅よりも幅を狭くした洗浄部材９を搬送ベルトＢの走行方向前後にずらして設けたりすることができる。幅の狭い洗浄部材９を用いることで、手摺りベルトＢとの接触抵抗を小さくし、手摺りベルトＢの走行を阻害しないようにすることができる。拭き取り部材１１についても同様である。
【００４４】
前記実施形態では、タンク３に直接洗浄除菌液Ｗを入れる場合を一例としているが、予め所定量の洗浄除菌液Ｗを樹脂製の容器（図示しない）などに収容しておき、その容器をタンク３内に入れられるようにしておくこともできる。この場合、容器の上面側或いは容器の上開口部を閉塞する蓋に洗浄部材セット部１２と拭き取り部材セット部１５を形成し、その表面をイージーピールシールで閉塞しておけば、タンク３に収容した容器から当該イージーピールシールを剥離して、洗浄部材セット部１２に洗浄部材９を、拭き取り部材セット部１５に拭き取り部材１１をセットするだけで、洗浄除菌液Ｗの交換を行うことができ、メンテナンスや部品交換時の作業性が良い。なお、容器方式とする場合、タンク３には容器を出し入れするための出し入れ口が必要である。
【００４５】
拭き取り部材１１は、洗浄部材９で手摺りベルトＢに塗布された洗浄除菌液Ｗを拭き取るものである限り、その構造や形状、材質、設置個数等は限定されない。
【００４６】
なお、各図に示す構成は、本願発明の趣旨を逸脱しない範囲内で適宜入れ替え、或いは組み合わせることができる。
【００４７】
（設置方法）
本発明の洗浄除菌装置は、次のように設置することができる。なお、本発明の洗浄除菌装置は、エスカレーターの停止中はもちろん、運転中に設置することもできる。
（１）固定手段１６によってタンク３が低い位置に固定された状態の洗浄除菌装置１を、エスカレーターの設置スペースＳに設置する。このとき、洗浄除菌装置１の目印と設置スペースＳの基準マークに基づいて設置位置を合わせるのが好ましい。なお、洗浄除菌液Ｗは、設置後にタンク３に入れることもできるが、設置時間の短縮の観点から、設置前に入れておくのが好ましい。
（２）設置スペースＳに置いた洗浄除菌装置１の固定手段１６を外側に引き、挿通部１６の先端１６ｂの内挿通孔４ａへの嵌合を解除すると、支持バネ８の作用によって、タンク３が上方に押し上げられ、洗浄部材９及び拭き取り部材１１が手摺りベルトＢに、適度に押し付けられる（当接する）。
（３）前記（２）の状態を保持することにより、洗浄部材９で手摺りベルトＢに洗浄除菌液Ｗが塗布され、手摺りベルトＢの汚れ分を含んだ洗浄除菌液Ｗが先方の拭き取り部材１１で拭き取られる。洗浄除菌液Ｗの塗布と拭き取りは、前記当接状態を解除しない限り連続的に行われる。
（４）警報手段１９が設けられている場合、洗浄除菌装置１を設置スペースに設置したときに検知棒２０が上向きに押し上げられ、当該検知棒２０の鍔２０ａが接点スイッチ２１から離れる。この状態で防犯スイッチをＯＮにすると警報手段１９が動作し、洗浄除菌装置１の取外しや持ち去りがあると、警報ブザー２３によってその旨が報知される。
【００４８】
（取出し方法）
設置スペースにＳ設置された洗浄除菌装置１は、次のように取り外すことができる。取外しもエスカレーターの停止中や運転中に行うことができる。
（１）防犯スイッチをＯＦＦにする。
（２）前記（１）の状態でタンク３に設けられた固定手段１６を両手で持ち、タンク３を下向きに押し下げる。
（３）タンク３を押し下げて、固定部材１６の挿通部１６ａの先端を内挿通孔４ａに嵌合させると、タンク３が低い位置で固定される。
（４）前記（３）の状態で、洗浄部材９及び拭き取り部材１１が手摺りベルトＢから離れていることを確認し、洗浄除菌装置１を設置スペースＳから取り出す。このとき、防犯スイッチはＯＦＦに切り替えられているため、取り出した洗浄除菌装置１を持ち上げても防犯スイッチが動作することはない。
【産業上の利用可能性】
【００４９】
本発明の洗浄除菌装置１は、吸水性の高い洗浄部材９で洗浄除菌液Ｗを吸い上げる方式を採用したため、動力源や電源供給手段、洗浄除菌液供給用の配管が不要である。洗浄除菌装置１にこのような方式を採用することで、装置の小型化、簡潔化、低価格化が実現でき、広く普及することが期待できる。
【符号の説明】
【００５０】
１      洗浄除菌装置
２      ベース
３      タンク
３ａ    （タンクの）底面
４      内筒部
４ａ    内挿通孔
５      外筒部
５ａ    外挿通孔
６      ベース凹部
７      タンク凹部
８      支持バネ（弾性体）
９      洗浄部材
９ａ    （洗浄部材の）開口部
９ｘ、９ｙ  （洗浄部材の）対向面
１０    滑り止め部材
１１    拭き取り部材
１１ａ  （拭き取り部材の）開口部
１２    洗浄部材セット部
１３    凹陥部
１３ａ  （凹陥部の）底部
１３ｂ  （凹陥部の）立ち上がり部
１３ｃ  （凹陥部の）突出部
１４    凹陥部
１４ａ  （凹陥部の）底部
１４ｂ  （凹陥部の）立ち上がり部
１４ｃ  （凹陥部の）突出部
１５    拭き取り部材セット部
１５ａ  基材
１５ｂ  セット溝
１５ｃ  貫通孔
１６    固定手段
１６ａ  （固定手段の）挿通部
１６ｂ  （固定手段の）先端
１７    引き寄せバネ
１８    ストッパー
１９    警報手段
２０    検知棒
２０ａ  （検知棒の）鍔
２０ｂ  （検知棒の）先端
２１    接点スイッチ
２２    電池
２３    警報ブザー
２４    付勢スプリング
２５    支持板
２６    芯材
２７    芯材
２８    絞りローラ
Ｂ      手摺りベルト
Ｂ１    （手摺りベルトの）上面
Ｂ２    （手摺りベルトの）側面
Ｂ３    折り返し面
Ｃ      手摺カバー
Ｆ      床
Ｓ      設置スペース
Ｗ      洗浄除菌液
ＳＷ    切替えスイッチ
【図１】
2017137158.tif 000003
【図２】
2017137158.tif 000004
【図３】
2017137158.tif 000005
【図４】
2017137158.tif 000006
【図５】
2017137158.tif 000007
【図６】
2017137158.tif 000008
【図７】
2017137158.tif 000009